(57)【要約】【課題】バールなどによる破壊行為を受けたとしても紙幣収納部へのアクセスを困難にして防盗性能を向上させた紙幣識別装置にする。【解決手段】紙幣識別部３０は、プッシャ部４０に隣接する側のフレームに本体フレームへの着脱に使用されるロック解除操作部３３が形成され、プッシャ部４０は、そのフレームの側壁にリブ４４を内設している。本体フレームに先に取り付けられた紙幣識別部３０に向けてプッシャ部４０をスライドさせることで本体フレームに取り付けたときには、リブ４４がロック解除操作部３３の辺縁部３４を押えるようになる。本体フレームの表側からバールなどによる破壊行為を受けて紙幣識別部３０が本体フレームから外れたときには、これをリブ４４により押えていたプッシャ部４０も一緒に外れてこれに装着されていた紙幣収納部とともに落下し、紙幣収納部が本体フレームに残ることはない。【選択図】図２
2010128760.tif 000002
【特許請求の範囲】
【請求項１】
本体フレームの正面側に取り付けられて投入された紙幣を内部へ取り込む紙幣入口ガイド部と、前記紙幣入口ガイド部に対応する前記本体フレームの裏面側に取り付けられて前記紙幣入口ガイド部により取り込まれた紙幣を識別する紙幣識別部と、前記本体フレームの裏面側に前記紙幣識別部に隣接して取り付けられたプッシャ部と、前記プッシャ部に装着され前記紙幣識別部から前記プッシャ部との間に搬送されてきた紙幣が前記プッシャ部によって押し込まれることにより内部に積層収納される紙幣収納部とを備えた紙幣識別装置において、
前記紙幣識別部は、前記プッシャ部と連結された状態で前記本体フレームに取り付けられていることを特徴とする紙幣識別装置。
【請求項２】
前記紙幣識別部と前記プッシャ部との連結は、これらを前記本体フレームに取り付けたときに、前記紙幣識別部のフレームにおける前記プッシャ部側の一部を、前記プッシャ部のフレームにおける前記紙幣識別部側の一部で押えて、前記紙幣入口ガイド部から前記本体フレームを介して前記紙幣識別部に加えられる外部圧力を前記プッシャ部のフレームが受け止めるように構成された請求項１記載の紙幣識別装置。
【請求項３】
前記紙幣識別部のフレームにおける前記プッシャ部側の一部は、前記紙幣識別部を前記本体フレームに着脱自在に取り付けるためのロック解除操作部であり、前記プッシャ部のフレームにおける前記紙幣識別部側の一部は、前記プッシャ部のフレームに内設されて前記ロック解除操作部の前記本体フレームから遠い側の辺縁部に位置するリブである請求項２記載の紙幣識別装置。
【発明の詳細な説明】
【技術分野】
【０００１】
本発明は紙幣識別装置に関し、特に自動販売機などにおいて投入された紙幣を識別して収納する処理を行う紙幣識別装置に関する。
【背景技術】
【０００２】
自動販売機では、その正面の扉の裏側に紙幣識別装置が取り付けられている。紙幣識別装置は、投入された紙幣を内部へ取り込む紙幣入口ガイド部と、取り込まれた紙幣を識別する紙幣識別部と、識別された紙幣を収納しておく紙幣収納部と、識別された紙幣を紙幣収納部へ押し込むプッシャ部とを備えている。紙幣入口ガイド部は、長方形の本体フレームの正面側の端に取り付けられ、紙幣識別部は、紙幣入口ガイド部に対応する本体フレームの裏面側に取り付けられている。プッシャ部は、本体フレームの裏面側に紙幣識別部に隣接して取り付けられ、紙幣収納部は、プッシャ部に着脱可能に取り付けられている。紙幣収納部およびプッシャ部は、重なり合った状態で配置され、その紙幣収納部とプッシャ部との間には紙幣識別部で識別された紙幣が送り込まれ、送り込まれた紙幣は、プッシャ部によって紙幣収納部に押し込まれてその中に積載収納されるように構成されている（たとえば、特許文献１参照）。
【０００３】
このような紙幣識別装置は、その紙幣収納部に収容されている紙幣の盗難を目的とした破壊行為を受けることがある。このため、紙幣収納部は、丈夫な金属製の本体フレームの裏面側に取り付けられて、自動販売機の正面側から直接的に破壊行為を受けることがないよう保護されている。また、紙幣収納部が取り付けられる本体フレームは、紙幣入口ガイド部および紙幣識別部が取り付けられる位置にスリットが穿設されており、そこに紙幣入口ガイド部が引き込んだ紙幣を紙幣識別部へ搬送するための投入紙幣搬送路を貫通配置するようにして、正面側から紙幣収納部のある裏面側へアクセスできる開口部を最小限の大きさにしている。
【特許文献１】特許第４１３６６０５号公報
【発明の開示】
【発明が解決しようとする課題】
【０００４】
それでも、紙幣入口ガイド部がバールなどによる攻撃を受けて破壊され、さらにバールなどによりスリットを介して紙幣識別部が突かれると、紙幣識別部が本体フレームから外れて脱落してしまい、スリットを介して本体フレームの裏面側に取り付けられている紙幣収納部が直接見えてしまうようになるので、その紙幣収納部から収納紙幣が抜き取られてしまうというという問題点があった。
【０００５】
本発明はこのような点に鑑みてなされたものであり、防盗性能を向上させた紙幣識別装置を提供することを目的とする。
【課題を解決するための手段】
【０００６】
本発明では上記問題点を解決するために、本体フレームの正面側に取り付けられて投入された紙幣を内部へ取り込む紙幣入口ガイド部と、前記紙幣入口ガイド部に対応する前記本体フレームの裏面側に取り付けられて前記紙幣入口ガイド部により取り込まれた紙幣を識別する紙幣識別部と、前記本体フレームの裏面側に前記紙幣識別部に隣接して取り付けられたプッシャ部と、前記プッシャ部に装着され前記紙幣識別部から前記プッシャ部との間に搬送されてきた紙幣が前記プッシャ部によって押し込まれることにより内部に積層収納される紙幣収納部とを備えた紙幣識別装置において、前記紙幣識別部は、前記プッシャ部と連結された状態で前記本体フレームに取り付けられていることを特徴とする紙幣識別装置が提供される。
【０００７】
このような紙幣識別装置によれば、紙幣識別部とプッシャ部とが連結されていることによって、本体フレームのスリットを介して紙幣識別部がバールなどにより突かれた場合、紙幣識別部と一緒に紙幣収納部を装着しているプッシャ部も本体フレームから外れて脱落することになる。これにより、紙幣収納部は、本体フレームのスリットから遠くに離れてしまうことになるので、スリットを介して紙幣収納部から紙幣を抜き取ることをできなくしている。
【発明の効果】
【０００８】
上記構成の紙幣識別装置は、紙幣識別部とプッシャ部とを連結して紙幣識別部が破壊行為によって本体フレームから脱落するような外力を受けたときには、紙幣収納部を装着しているプッシャ部も一緒に脱落する構造にしたので、紙幣収納部が破壊行為を受けた位置から遠くに避難され、防盗性能を向上させることができるという利点がある。
【発明を実施するための最良の形態】
【０００９】
以下、本発明の実施の形態について、自動販売機に適用した場合を例に図面を参照して詳細に説明する。
図１は紙幣識別装置の外観を示す斜視図である。
【００１０】
紙幣識別装置は、図の上下方向に細長い長方形の本体フレーム１０を有し、この本体フレーム１０にユニット別に作られた各種機能部が取り付けられることによって構成されている。本体フレーム１０の正面側には、投入された紙幣を引き込んで内部へ送り込む紙幣入口ガイド部２０が設けられている。この紙幣入口ガイド部２０は、紙幣識別装置が自動販売機の正面の扉に内側から取り付けられたときに、少なくとも紙幣入口２１の開口部がその扉を貫通して外部に露出される。
【００１１】
本体フレーム１０の紙幣入口ガイド部２０に対応する位置の裏面側には、紙幣識別部３０が設けられている。紙幣識別部３０は、その側面の図の上端側に回転軸３１が突設され、図の下端側には内側に変形可能なロック解除操作部が形成され、そのロック解除操作部の外側の面にはフック部３２が形成されている。紙幣識別部３０は、回転軸３１と本体フレーム１０の係止孔１１に係止されるフック部３２とによって本体フレーム１０に着脱自在に取り付けられている。
【００１２】
本体フレーム１０の裏面側において、紙幣識別部３０に隣接してプッシャ部４０が設けられている。このプッシャ部４０は、その側壁の外面にガイドピン４１が突設され、本体フレーム１０の取り付け面の側にフック部４２が形成されている。プッシャ部４０は、本体フレーム１０の側壁に形成されたＬ字状の切欠きガイド１２に沿ってガイドピン４１を移動させることにより、フック部４２を本体フレーム１０に穿設された係止孔１３に係止させることができ、これによって、プッシャ部４０が本体フレーム１０に着脱可能に取り付けられることになる。このとき、プッシャ部４０のフレームの側壁４３が紙幣識別部３０のフック部３２を有するロック解除操作部を覆うように位置することにより、紙幣識別部３０が誤操作により本体フレーム１０から外れてしまうことがないようにしている。
【００１３】
このようにして本体フレーム１０に取り付けられたプッシャ部４０の中には、後述する紙幣収納部が装着されている。この紙幣収納部は、紙幣入口ガイド部２０の紙幣入口２１から投入され、紙幣識別部３０にて識別された紙幣がプッシャ部４０によって押し込まれることにより収納される。
【００１４】
図２は紙幣識別部およびプッシャ部の連結動作を示す説明図であって、（Ａ）は連結前の状態を示す図、（Ｂ）は連結直前の状態を示す図、（Ｃ）は連結後の状態を示す図であり、図３は紙幣識別部およびプッシャ部の連結部回りの詳細を示す部分拡大図であって、（Ａ）は連結前の状態を示す図、（Ｂ）は連結後の状態を示す図である。
【００１５】
紙幣識別部３０とプッシャ部４０との連結は、紙幣識別部３０およびプッシャ部４０の本体フレーム１０への取り付け順序と隣接部分の形状を変更することによって達成している。すなわち、本体フレーム１０の裏面側への取り付けは、先に紙幣識別部３０を取り付け、次いで、プッシャ部４０を取り付ける。このとき、プッシャ部４０は、紙幣識別部３０を押さえ込むように取り付けられる。
【００１６】
紙幣識別部３０は、図３の（Ａ）に示されるように、プッシャ部４０に隣接する側のフレームに変形可能に形成されたロック解除操作部３３を有し、これを両側から摘むことにより外側の表面に突設されたフック部３２が内側へ変位できるように構成されている。したがって、紙幣識別部３０は、その回転軸３１を本体フレーム１０の側壁縁部に形成された凹部（図１参照）に引っ掛けた状態で回転軸３１を中心に本体フレーム１０の側へ回転されると、最初にロック解除操作部３３のフック部３２が本体フレーム１０の側壁辺縁部に当接する。続いて、紙幣識別部３０を本体フレーム１０に押し込むと、フック部３２が本体フレーム１０の側壁辺縁部を乗り越えてロック解除操作部３３が変形し、そのフック部３２が本体フレーム１０の側壁の内側に入り込み、最終的に、フック部３２が本体フレーム１０の係止孔１１に嵌り、係止されることによって、紙幣識別部３０は本体フレーム１０に取り付けられる。紙幣識別部３０を本体フレーム１０から取り外すときには、ロック解除操作部３３を両側から摘んで内側に変形させることによりフック部３２を本体フレーム１０の係止孔１１から離脱させ、その状態で紙幣識別部３０を本体フレーム１０から引き起こすようにすればよい。なお、ロック解除操作部３３は、本体フレーム１０から離れた側に辺縁部３４を有し、その辺縁部３４は、本体フレーム１０の取り付け面に平行になっている。
【００１７】
プッシャ部４０は、これを本体フレーム１０に取り付けたときに、紙幣識別部３０のロック解除操作部３３の辺縁部３４に位置して押えるようなリブ４４がフレームの側壁４３に内設されている。このため、このリブ４４は、紙幣識別部３０が本体フレーム１０から離れる方向に移動してしまうような外力を受けたときに、その外力を受けてプッシャ部４０のフレームへ伝達する機能がある。このリブ４４も、本体フレーム１０の取り付け面に平行に延長されている。
【００１８】
プッシャ部４０を本体フレーム１０へ取り付けるときは、まず、プッシャ部４０のガイドピン４１を本体フレーム１０の切欠きガイド１２に嵌合させた状態でプッシャ部４０を本体フレーム１０に押し込む。このとき、プッシャ部４０のフック部４２は、本体フレーム１０に押されて内側に変位している。続いて、プッシャ部４０は、その押し込んだ状態のままガイドピン４１が切欠きガイド１２に案内されながら紙幣識別部３０の方向へスライドされていくと、フック部４２が本体フレーム１０の係止孔１３に係止される。これにより、プッシャ部４０は、本体フレーム１０から離れる方向に対してはガイドピン４１によって移動が規制され、紙幣識別部３０から離れる方向に対してはフック部４２によって移動が規制されることになる。
【００１９】
以上の構成により、本体フレーム１０にまず紙幣識別部３０を取り付け、次に、プッシャ部４０を取り付けることにより紙幣識別装置が組み立てられる。そのプッシャ部４０の取り付けは、図２の（Ａ）、（Ｂ）および（Ｃ）で示した順にプッシャ部４０を紙幣識別部３０に向けて移動することにより行われる。このとき、紙幣識別部３０およびプッシャ部４０は、互いに強固に連結されるというのではなく、紙幣識別部３０は、図３の（Ｂ）に示したように、本体フレーム１０とは反対側のロック解除操作部３３の辺縁部３４にプッシャ部４０のリブ４４が位置し、紙幣識別部３０が本体フレーム１０から離れる方向に移動したときに、プッシャ部４０のリブ４４がその紙幣識別部３０を受け止めるようになっているだけである。
【００２０】
図４は紙幣識別装置が破壊行為を受けたときの状態を示す図である。
本体フレーム１０は、紙幣入口ガイド部２０および紙幣識別部３０の取り付け位置に幅方向に延びる細長いスリット１４が穿設されており、そのスリット１４を介して本体フレーム１０の表側で紙幣入口ガイド部２０が受けた紙幣を本体フレーム１０の裏側の紙幣識別部３０に渡すようにしている。
【００２１】
したがって、紙幣識別装置が収納紙幣の盗難目的の破壊行為を受けたときには、紙幣入口ガイド部２０がハンマやバールなどにより破壊され、次に、本体フレーム１０のスリット１４を介し、紙幣識別部３０がバールなどで突くなどの攻撃を受けることになる。これにより、紙幣識別部３０を本体フレーム１０に固定している回転軸３１およびロック解除操作部３３のフック部３２が破壊されると、紙幣識別部３０は本体フレーム１０から外れてしまう。このとき、紙幣識別部３０におけるロック解除操作部３３の辺縁部３４がリブ４４を介してプッシャ部４０にこれを本体フレーム１０から外す方向の力を与えることになる。その結果、プッシャ部４０を本体フレーム１０に固定しているガイドピン４１が破壊されると、プッシャ部４０は、図４に示したように、紙幣識別部３０とともに本体フレーム１０から外れることになる。本体フレーム１０から外れた紙幣識別部３０およびプッシャ部４０は、途中でばらばらになって落下する。このとき、プッシャ部４０に装着されている紙幣収納部５０も一緒に落下するので、本体フレーム１０のスリット１４から遠い位置に移動してしまうことになる。これにより、紙幣収納部５０に収納されている紙幣にスリット１４からアクセスすることが極めて困難になることから、この紙幣識別装置は、より防盗性能を向上させることが可能になる。
【図面の簡単な説明】
【００２２】
【図１】紙幣識別装置の外観を示す斜視図である。
【図２】紙幣識別部およびプッシャ部の連結動作を示す説明図であって、（Ａ）は連結前の状態を示す図、（Ｂ）は連結直前の状態を示す図、（Ｃ）は連結後の状態を示す図である。
【図３】紙幣識別部およびプッシャ部の連結部回りの詳細を示す部分拡大図であって、（Ａ）は連結前の状態を示す図、（Ｂ）は連結後の状態を示す図である。
【図４】紙幣識別装置が破壊行為を受けたときの状態を示す図である。
【符号の説明】
【００２３】
１０  本体フレーム
１１  係止孔
１２  切欠きガイド
１３  係止孔
１４  スリット
２０  紙幣入口ガイド部
２１  紙幣入口
３０  紙幣識別部
３１  回転軸
３２  フック部
３３  ロック解除操作部
３４  辺縁部
４０  プッシャ部
４１  ガイドピン
４２  フック部
４３  側壁
４４  リブ
５０  紙幣収納部
【図１】
2010128760.tif 000003
【図２】
2010128760.tif 000004
【図３】
2010128760.tif 000005
【図４】
2010128760.tif 000006